(57)【要約】【課題】簡易な構成により短時間で環境条件を容易に推定でき、その環境条件に対応するように各部を制御する画像形成装置を提供する。【解決手段】第１テーブルＴ１に基づいてドラムグランドレベル補正回路６４がプリンタコントローラ３４により制御され、感光ドラム４２の接地電位が補正される。このため、環境条件を推定するために、従来のように感光ドラム４２の表面にパッチ画像を形成してその濃度を検知する必要がないため、濃度センサが不要となり、また濃度センサを設けることによる設計変更が不要となる。これにより、それらに伴うコストを大幅に低減させることができる。また、感光ドラム４２の表面にパッチ画像を形成させる必要が無いため、パッチ画像を形成させるための時間が不要になり、感光ドラム４２の接地電位を補正するまでに要する時間を短縮することができる。【選択図】      図２
2007206284.tif 000002
【特許請求の範囲】
【請求項１】
電位的に接地される感光体と、
前記感光体上のトナー画像を用紙に転写する転写体と、
前記転写体に所定の電圧を印加する転写体電圧印加部と、
前記電圧が印加された前記転写体に流入する流入電流を検出する電流検出部と、
前記感光体の接地電位を補正する感光体電位補正部と、
前記流入電流と前記感光体の接地電位との対応関係を示す第１テーブルを記憶する記憶部と、
前記第１テーブルに基づいて前記感光体電位補正部が前記感光体の接地電位を補正するように前記感光体電位補正部を制御する制御部と、
を含んで構成されたことを特徴とする画像形成装置。
【請求項２】
前記感光体にトナーを供給する現像部と、
前記現像部に電圧を印加する現像部電圧印加部と、を有し、
前記記憶部には、前記感光体の接地電位と前記現像部の電位との対応関係を示す第２テーブルが記憶され、
前記第２テーブルに基づいて前記現像部電圧印加部が前記制御部により制御されて前記現像部の電圧が補正されることを特徴とする請求項１に記載の画像形成装置。
【請求項３】
前記感光体を露光する露光部と、
前記露光部の露光量を補正する露光量補正部と、を有し、
前記記憶部には、前記感光体の接地電位と前記露光部の露光量との対応関係を示す第３テーブルが記憶され、
前記第３テーブルに基づいて前記露光量補正部が前記制御部により制御されて前記露光部の露光量が補正されることを特徴とする請求項１又は２に記載の画像形成装置。
【発明の詳細な説明】
【技術分野】
【０００１】
本発明は、画像形成装置に係り、特に感光ドラムに印加された電圧を補正するドラムグランドレベル補正回路を備えた画像形成装置に関する。
【背景技術】
【０００２】
画像形成装置に用いられている感光ドラムは、一般的に、湿度や温度などの環境条件の影響を受け易く、感光ドラム上に形成される画像の画像濃度が変化することがある。この問題に対処するために、感光ドラム表面上にパッチ画像を形成し、そのパッチ画像の濃度を濃度センサで検知し、この検知結果に応じて現像ローラに印加する現像バイアスを補正する発明が知られている。
【０００３】
この従来発明では、濃度センサを必要とするため、濃度センサを設けることに伴うコストアップと濃度センサを設ける部位を形成するための設計変更が必要となるが、接触転写方式の画像形成装置では、転写ローラが湿度や温度の影響を受け易いという特性を利用して、転写ローラに所定のバイアスを印加し、そのときに流れる流入電流値によって環境条件を推定し、現像バイアスや露光量（露光時間、露光エネルギーなど）を補正する従来技術がある。
【特許文献１】特開平６−１７５５１４号公報
【特許文献２】特開平６−１８６８１５号公報
【特許文献３】特開平９−３１９１６７号公報
【発明の開示】
【発明が解決しようとする課題】
【０００４】
ところで、上記従来技術では、現像バイアスを補正すると、この現像ローラと接触しこの現像ローラにトナーを供給する供給ローラについても併せて補正しなければならないため、系全体のバランスを調整することが困難であった。また、露光量を補正する場合には、特に露光手段としてＬＥＤヘッドを用いた構成では、その調整が困難となる。
【０００５】
そこで、本発明は、上記事情を考慮し、簡易な構成により短時間で環境条件を容易に推定でき、その環境条件に対応するように各部を制御することができる画像形成装置を提供することを目的とする。
【課題を解決するための手段】
【０００６】
請求項１に記載の発明は、電位的に接地される感光体と、前記感光体上のトナー画像を用紙に転写する転写体と、前記転写体に所定の電圧を印加する転写体電圧印加部と、前記電圧が印加された前記転写体に流入する流入電流を検出する電流検出部と、前記感光体の接地電位を補正する感光体電位補正部と、前記流入電流と前記感光体の接地電位との対応関係を示す第１テーブルを記憶する記憶部と、前記第１テーブルに基づいて前記感光体電位補正部が前記感光体の接地電位を補正するように前記感光体電位補正部を制御する制御部と、を含んで構成されたことを特徴とする。
【０００７】
請求項１に記載の発明によれば、例えば印字処理が開始されると、転写体には転写体電圧印加部により所定の電圧（バイアス電圧）が印加される。このとき、転写体には流入電流が流れる。そして、記憶部には流入電流と感光体の接地電位との対応関係を示す第１テーブルが記憶されており、この第１テーブルに基づいて感光体電位補正部が制御部により制御され、感光体の接地電位が補正される。このように、本発明によれば、環境条件を推定するために、感光体の表面にパッチ画像を形成してその濃度を検知する必要がないため、濃度センサが不要となり、また濃度センサを設けることによる設計変更が不要となる。これにより、それらに伴うコストを大幅に低減させることができる。また、感光体の表面にパッチ画像を形成させる必要が無いため、パッチ画像を形成させるための時間が不要になり、感光体の接地電位を補正するまでに要する時間を短縮することができる。さらに、現像ローラに印加される電圧（現像バイアス）を補正する必要が無いため、現像ローラに印加される電圧（現像バイアス）と供給ローラに印加される電圧（バイアス電圧）の双方を同時に補正する必要が無い。この結果、システム系全体のバランスを崩すことなく、環境条件に対応した画像（濃度変化しない画像）を感光体に容易に形成することができる。
【０００８】
請求項２に記載の発明は、請求項１に記載の画像形成装置において、前記感光体にトナーを供給する現像部と、前記現像部に電圧を印加する現像部電圧印加部と、を有し、前記記憶部には、前記感光体の接地電位と前記現像部の電位との対応関係を示す第２テーブルが記憶され、前記第２テーブルに基づいて前記現像部電圧印加部が前記制御部により制御されて前記現像部の電圧が補正されることを特徴とする。
【０００９】
請求項２に記載の発明によれば、記憶部には感光体の接地電位と現像部の電位との対応関係を示す第２テーブルが記憶されており、この第２テーブルに基づいて現像部電圧印加部が制御部により制御されて現像部の電圧が補正される。このように、感光体の接地電位に基づいて現像部の電圧を補正することにより、環境条件に対応するように、現像部の電圧を容易かつ正確に補正することができる。
【００１０】
請求項３に記載の発明は、請求項１又は２に記載の画像形成装置において、前記感光体を露光する露光部と、前記露光部の露光量を補正する露光量補正部と、を有し、前記記憶部には、前記感光体の接地電位と前記露光部の露光量との対応関係を示す第３テーブルが記憶され、前記第３テーブルに基づいて前記露光量補正部が前記制御部により制御されて前記露光部の露光量が補正されることを特徴とする。
【００１１】
請求項３に記載の発明によれば、記憶部には感光体の接地電位と露光部の露光量との対応関係を示す第３テーブルが記憶されており、第３テーブルに基づいて露光量補正部が制御部により制御されて露光部の露光量が補正される。このように、感光体の接地電位に基づいて露光部の露光量を補正することにより、環境条件に対応するように、露光部の露光量を容易かつ正確に補正することができる。
【発明の効果】
【００１２】
本発明によれば、簡易な構成により短時間で環境条件を容易に推定でき、その環境条件に対応するように各部を制御することができる。
【発明を実施するための最良の形態】
【００１３】
次に、本発明の一実施形態に係る画像形成装置について、図面を参照して説明する。
【００１４】
図１に示すように、この画像形成装置１０は、ファクシミリ機能とコピー機能とを備えたいわゆる複合機として構成したもので、ＭＰＵ１２、ＮＣＵ（網制御回路：Ｎｅｔｗｏｒｋ  Ｃｏｎｔｒｏｌ  Ｕｎｉｔ）１４、ＭＯＤＥＭ１６、ＲＯＭ１８、ＲＡＭ２０、画像メモリ（ＤＲＡＭ）２２、ＣＯＤＥＣ（符号化・復号器：Ｃｏｄｅｒ  ａｎｄ  Ｄｅｃｏｄｅｒ）２４、操作部２６、スキャナ２８、パーソナルコンピュータ３０が接続されたプリンタＩ／Ｆ３２を備えている。
【００１５】
ＭＰＵ１２は、この装置を構成する各部を制御する。ＮＣＵ１４は、電話回線網（ＰＳＴＮ）との接続を制御すると共に、相手先の電話番号（ＦＡＸ番号を含む）に対応したダイヤル信号を送出する機能及び着信を検出するための機能を備えている。ＭＯＤＥＭ１６は、ＩＴＵ（国際電気通信連合）−Ｔ勧告Ｔ．３０に従ったファクシミリ伝送制御手順に基づいて、Ｖ．１７、Ｖ．２７ｔｅｒ、Ｖ．２９等に従った送信データの変調及び受信データの復調を行う。或いは、これらに加えてＶ．３４に従った送信データの変調及び受信データの復調を行う。
【００１６】
ＲＯＭ１８は、この装置を制御するためのプログラムを記憶する。ＲＡＭ２０は、データ等を一時的に記憶する。画像メモリ２２は、受信画データやスキャナ２８で読み取った画データを一時的に記憶する。ＣＯＤＥＣ２４は、読み取った画データを送信するためにＭＨ、ＭＲ、ＭＭＲ方式等により符号化（エンコード）し、受信画データを復号（デコード）する。操作部２６は、ユーザがＦＡＸ送信・受信、プリント等の指示をするためのものである。スキャナ２８は、ＦＡＸ送信するときに原稿の画データを読み取る。
【００１７】
この装置のプリンタは、プリンタ各部を制御するプリンタコントローラ（制御部）３４を備える。また、プリンタコントローラ３４は、ＲＡＭ３６を内蔵している。
【００１８】
このＲＡＭ３６には、転写バイアス印加回路３８により転写ローラ４０にバイアス電圧が印加されたときに転写ローラ４０に流れる流入電流と感光ドラム４２の接地電位との対応関係を示す第１テーブルＴ１が記憶されている。この第１テーブルＴ１は、温度センサ４４及び湿度センサ４６により検知された温度と湿度との関係を考慮したテーブルであり、環境条件に対応するように、感光ドラム４２の表面電位を制御する根拠となるものである。
【００１９】
また、ＲＡＭ３６には、感光ドラム４２の接地電位と現像ローラ４８の電位との対応関係を示す第２テーブルＴ２が記憶されている。この第２テーブルＴ２は、温度センサ４４及び湿度センサ４６により検知された温度と湿度との関係を考慮したテーブルであり、環境条件に対応する感光ドラム４２の表面電位を得るために、現像ローラ４８のバイアス電圧（現像バイアス）を制御する根拠となるものである。
【００２０】
また、ＲＡＭ３６には、感光ドラム４２の接地電位とＬＥＤプリントヘッド５０の露光量との対応関係を示す第３テーブルＴ３が記憶されている。この第３テーブルＴ３は、温度センサ４４及び湿度センサ４６により検知された温度と湿度との関係を考慮したテーブルであり、環境条件に対応する感光ドラム４２の表面電位を得るために、ＬＥＤプリントヘッド５０の露光量を制御する根拠となるものである。ここで、露光量の制御は、ＬＥＤプリントヘッド５０による露光時間やＬＥＤプリントヘッド５０から照射される光の強度を制御することにより実現される。
【００２１】
プリンタ内部には、感光体として外周面に光導電膜を有する感光ドラム４２が配置され、感光ドラム４２は、駆動源（図示せず）により回転される。この感光ドラム４２の周囲には、ブラシローラ式の帯電器として帯電ブラシ５２が配置され、この帯電ブラシ５２には帯電バイアス印加回路５４により所定のバイアス電圧が印加される。バイアス電圧が印加された帯電ブラシ５２は、回転しながら感光ドラム４２の外周面を約−７５０Ｖに一様に帯電させる。
【００２２】
感光ドラム４２の周囲に配置された露光部としてのＬＥＤプリントヘッド５０は、多数のＬＥＤを並設してなり、入力された画情報に基づき感光ドラム４２の外周面に光を照射し、外周面に画情報に対応する静電潜像を形成する。また、ＬＥＤプリントヘッド５０の近傍には、ＬＥＤプリントヘッド５０の露光量を制御するＬＥＤ露光量制御回路５６が配置されている。このＬＥＤ露光量制御回路５６により、ＬＥＤプリントヘッド５０の露光時間やＬＥＤプリントヘッド５０から照射される光の強度が制御される。なお、ＬＥＤプリントヘッド５０の出力は、プリンタコントローラ３４により制御される。
【００２３】
また、感光ドラム４２の周囲に配置された現像器は、供給ローラ５８、現像ローラ４８、ブレード６０及び現像器バイアス印加回路６２等により構成される。供給ローラ５８は、トナーを入れたトナーケース（図示せず）からトナーを帯電させつつ現像ローラ４８に供給するもので、この供給ローラ５８には現像器バイアス印加回路６２により所定のバイアス電圧（−３００Ｖ〜−７００Ｖ、好ましくは約−５００Ｖ）が印加される。この供給ローラ５８と感光ドラム４２に接触して配置された現像ローラ４８には、現像器バイアス印加回路６２により所定のバイアス電圧（−３００Ｖ〜−４００Ｖ、好ましくは−３５０Ｖ）が印加される。なお、現像器バイアス印加回路６２は、プリンタコントローラ３４により制御される。
【００２４】
ブレード６０は、現像ローラ４８の外周面に弾性的に接触し、現像ローラ４８の外周面に付着したトナーの層厚を均一にするもので、このブレード６０には現像器バイアス印加回路６２により所定のバイアス電圧（−３００Ｖ〜−７００Ｖ、好ましくは約−４００Ｖ）が印加される。
【００２５】
また、感光ドラム４２の周囲に配置されたドラムグランドレベル補正回路６４は、感光ドラム４２と電気的に接続されている。このドラムグランドレベル補正回路６４は、プリンタコントローラ３４からの制御により各電源部に切替可能に構成されている。なお、各電源部は、０Ｖ、１０Ｖ、２０Ｖ〜１５０Ｖのものまで設けられている。これにより、例えば、ドラムグランドレベル補正回路６４が０Ｖの電源部と接続すると、感光ドラム４２の接地電位が０Ｖになる。また、ドラムグランドレベル補正回路６４が１０Ｖの電源部と接続すると感光ドラム４２の接地電位が１０Ｖになり、ドラムグランドレベル補正回路６４が接続する電源部と感光ドラム４２の接地電位とが同じ電圧となる。
【００２６】
さらに、感光ドラム４２の周囲に配置された転写器としての転写ローラ４０は、用紙搬送経路を挟んで感光ドラム４２の外周面と接触するように配置され、駆動源（図示せず）により回転される。この転写ローラ４０には転写バイアス印加回路３８により所定のバイアス電圧（転写バイアス）が印加される。転写ローラ４０にバイアス電圧が印加されると、転写ローラ４０には流入電流が流れるが、転写ローラ４０の流入電流は電流検出部６６により検出され、この検出された電流値がプリンタコントローラ３４のＲＡＭ３６に保存される。なお、転写バイアス印加回路３８は、プリンタコントローラ３４により制御される。
【００２７】
用紙搬送経路の用紙送り出し側に配置された定着器は、ハロゲンランプ等のヒータを有する加熱ローラ６８、ヒータ駆動回路７０及びプレスローラ７２等で構成される。加熱ローラ６８のヒータはヒータ駆動回路７０により所定の温度に加熱される。加熱ローラ６８とプレスローラ７２は、転写ローラ４０による転写後の用紙を加熱圧接することにより、用紙上のトナー画像を定着させる。
【００２８】
この画像形成装置１０には、感光ドラム４２の周囲にメモリ除去ブラシ７４が配置されている。このメモリ除去ブラシ７４は、転写後にも感光ドラム４２の外周面に画像の輪郭に沿って残るトナー画像（メモリ画像）を除去するためのもので、メモリ除去ブラシ７４にはメモリ除去ブラシ電圧印加回路７６により所定のバイアス電圧が印加される。
【００２９】
また、この画像形成装置１０には、温度を検知する温度センサ４４と、湿度を検知する湿度センサ４６とが配置されている。各センサ４４、４６による検知結果は、プリンタコントローラ３４に出力することができるようになっている。
【００３０】
上記のように構成された画像形成装置において、プリント動作は周知であるが、概説すると、帯電ブラシ５２により感光ドラム４２が約−７５０Ｖに一様に帯電され、その感光ドラム４２にＬＥＤプリントヘッド５０により画情報に対応する静電潜像が形成され、現像ローラ４８により感光ドラム４２上の静電潜像にトナーが吸着されて、感光ドラム４２上にトナー画像が形成される。そして、転写ローラ４０により感光ドラム４２上のトナー画像が用紙に転写される。転写後は、加熱ローラ６８とプレスローラ７２により用紙が加熱・加圧され、用紙にトナー画像が永久像として定着される。
【００３１】
次に、本実施形態の画像形成装置１０の作用について説明する。
【００３２】
図２に示すように、待機状態において（ステップ１０）、印字信号の有無がプリンタコントローラ３４により判断される（ステップ１２）。プリンタコントローラ３４により印字信号有りと判断されると（ステップ１２：ＹＥＳ）、各部により用紙の印字処理が開始される（ステップ１４）。
【００３３】
ここで、転写バイアス印加回路３８により転写ローラ４０に所定のバイアス電圧（転写バイアス）が印加される（ステップ１６）。そして、このとき、転写ローラ４０に流れる流入電流が電流検出部６６により検出される（ステップ１８）。なお、電流検出部６６により検出された流入電流値は、プリンタコントローラ３４に出力される。
【００３４】
プリンタコントローラ３４のＲＡＭ３６には流入電流と感光ドラム４２の接地電位との対応関係を示す第１テーブルＴ１が記憶されており、この第１テーブルＴ１に基づいてドラムグランドレベル補正回路６４がプリンタコントローラ３４により制御される。これにより、感光ドラム４２の接地電位が補正され、所定の電位になる（ステップ２０）。
【００３５】
ここで、補正処理（ステップ２０）において、ドラムグランドレベル補正回路６４により感光ドラム４２の接地電位が補正された後、感光ドラム４２の電位と現像ローラ４８の電位との対応関係を示す第２テーブルＴ２に基づいて現像バイアス印加回路６２がプリンタコントローラ３４により制御され、現像ローラ４８に印加するバイアス電圧（現像バイアス）を補正してもよい（ステップ２２）。
【００３６】
また、感光ドラム４２の接地電位の補正と、現像ローラ４８のバイアス電圧（現像バイアス）の補正終了後、感光ドラム４２の接地電位とＬＥＤプリントヘッド５０の露光量との対応関係を示す第３テーブルＴ３に基づいてＬＥＤ露光量制御回路５６がプリンタコントローラ３４により制御され、ＬＥＤプリントヘッド５０の露光量を補正するようにしてもよい（ステップ２４）。
【００３７】
そして、用紙の印字処理が終了し（ステップ２６）、再度、待機状態に戻る（ステップ２８）。
【００３８】
以上のように、本発明によれば、第１テーブルＴ１に基づいてドラムグランドレベル補正回路６４がプリンタコントローラ３４により制御され、感光ドラム４２の接地電位が補正される。このため、環境条件を推定するために、従来のように感光ドラム４２の表面にパッチ画像を形成してその濃度を検知する必要がないため、濃度センサが不要となり、また濃度センサを設けることによる設計変更が不要となる。これにより、それらに伴うコストを大幅に低減させることができる。また、感光ドラム４２の表面にパッチ画像を形成させる必要が無いため、パッチ画像を形成させるための時間が不要になり、感光ドラム４２の接地電位を補正するまでに要する時間を短縮することができる。さらに、現像ローラ４８に印加される電圧（現像バイアス）を補正する必要が無いため、現像ローラ４８に印加される電圧（バイアス電圧）と供給ローラ５８に印加される電圧の双方を同時に補正する必要が無い。この結果、システム系全体のバランスを崩すことなく、環境条件に対応した画像（濃度変化しない画像）を感光ドラム４２に容易に形成することができる。
【００３９】
特に、感光ドラム４２の接地電位と現像ローラ４８の電位の対応関係を示す第２テーブルＴ２に基づいて現像バイアス印加回路６２がプリンタコントローラ３４により制御されて現像ローラ４８の電圧が補正されるため、現像ローラ４８の電圧を容易かつ正確に補正することができる。
【００４０】
また、感光ドラム４２の接地電位とＬＥＤプリントヘッド５０の露光量との対応関係を示す第３テーブルＴ３に基づいてＬＥＤ露光量制御回路５６がプリンタコントローラ３４により制御されてＬＥＤプリントヘッド５０の露光量が補正されるため、ＬＥＤプリントヘッド５０の露光量を容易かつ正確に補正することができる。
【００４１】
次に、上記実施形態に係る画像形成装置１０の作用の第１変形例について説明する。
【００４２】
図３に示すように、この変形例によれば、印字信号検出後（ステップ１２：ＹＥＳ）、印字処理（ステップ１４）を開始する前に、感光ドラム４２の接地電位が別途設けた電圧検知部（図示省略）を介してプリンタコントローラ３４により検知され（ステップ３０）、ＲＡＭ３６に記憶された感光ドラム４２の接地電位と転写ローラ４０に印加する転写バイアスとの対応関係を示す補助テーブルＴ４に基づいて転写ローラ４０に印加する転写バイアスが決定される（ステップ３２）。その後、ステップ１４にて印字処理が開始され、図１と同様に、ステップ２８までの各工程が実行されていく。
【００４３】
これにより、感光ドラム４２の接地電位を環境条件に対応させた電位にすることができる。
【００４４】
次に、上記実施形態に係る画像形成装置１０の作用の第２変形例について説明する。
【００４５】
図４に示すように、この変形例によれば、待機状態において（ステップ５０）、印字信号の有無がプリンタコントローラ３４により判断される（ステップ５２）。プリンタコントローラ３４により印字信号有りと判断されると（ステップ５２：ＹＥＳ）、感光ドラム４２の接地電位が別途設けた電圧検知部（図示省略）を介してプリンタコントローラ３４により検知され（ステップ５４）、ＲＡＭ３６に記憶された感光ドラム４２の接地電位と転写ローラ４０に印加する転写バイアスとの対応関係を示す補助テーブルＴ４に基づいて転写ローラ４０に印加する転写バイアスが決定される（ステップ５６）。
【００４６】
そして、用紙の印字処理が開始される（ステップ５８）。
【００４７】
ここで、転写バイアス印加回路３８により転写ローラ４０に所定のバイアス電圧（転写バイアス）が印加される（ステップ６０）。そして、このとき、転写ローラ４０に流れる流入電流が電流検出部６６により検出される（ステップ６２）。なお、電流検出部６６により検出された流入電流値は、プリンタコントローラ３４に出力される。
【００４８】
次に、プリンタコントローラ３４のＲＡＭ３６には流入電流と感光ドラム４２の電位との対応関係を示す第１テーブルＴ１が記憶されており、この第１テーブルＴ１に基づいてドラムグランドレベル補正回路６４がプリンタコントローラ３４により制御される。これにより、感光ドラム４２の接地電位が補正され、所定の電圧になる（ステップ６４）。
【００４９】
次に、現像ローラ４８の表面電圧が別途設けた電圧検知部（図示省略）を介してプリンタコントローラ３４に検知される（ステップ６６）。そして、現像ローラ４８の電圧（現像バイアス）の補正の必要性がプリンタコントローラ３４により判断される（ステップ６８）。現像ローラ４８の電圧（現像バイアス）の補正が必要と判断されれば（ステップ６８：ＹＥＳ）、現像バイアス印加回路６２がプリンタコントローラ３４により制御され、現像ローラ４８の電圧が補正される（ステップ７０）。
【００５０】
次に、ＬＥＤプリントヘッド５０の露光量が別途設けた露光量検知部（図示省略）を介してプリンタコントローラ３４に検知される（ステップ７２）。そして、ＬＥＤプリントヘッド５０の露光量の補正の必要性がプリンタコントローラ３４により判断される（ステップ７４）。ＬＥＤプリントヘッド５０の露光量の補正が必要と判断されれば（ステップ７４：ＹＥＳ）、ＬＥＤ露光量制御回路５６がプリンタコントローラ３４により制御され、ＬＥＤプリントヘッド５０の露光量が補正される（ステップ７６）。
【００５１】
そして、用紙の印字処理が終了し（ステップ７８）、再度、待機状態に戻る（ステップ８０）。
【００５２】
本変形例においても、感光ドラム４２の接地電位を環境条件に対応させた電位にすることができる。
【図面の簡単な説明】
【００５３】
【図１】本発明の一実施形態に係る画像形成装置の概略構成図である。
【図２】本発明の一実施形態に係る画像形成装置の作用を示すフローチャートである。
【図３】本発明の一実施形態に係る画像形成装置の作用の変形例を示すフローチャートである。
【図４】本発明の一実施形態に係る画像形成装置の作用の変形例を示すフローチャートである。
【符号の説明】
【００５４】
１０        画像形成装置
３４        プリンタコントローラ（制御部）
３６        ＲＡＭ（記憶部）
３８        転写バイアス印加回路（転写体電圧印加部）
４０        転写ローラ（転写体）
４２        感光ドラム（感光ドラム）
４８        現像ローラ（現像部）
５０        ＬＥＤプリントヘッド（露光部）
５６        ＬＥＤ露光量制御回路（露光量補正部）
６２        現像バイアス印加回路（現像部電圧印加部）
６４        ドラムグランドレベル補正回路（感光体電位補正部）
６６        電流検出部
Ｔ１        第１テーブル
Ｔ２        第２テーブル
Ｔ３        第３テーブル
【図１】
2007206284.tif 000003
【図２】
2007206284.tif 000004
【図３】
2007206284.tif 000005
【図４】
2007206284.tif 000006